(57)【要約】      （修正有）【課題】ブザーによる聴覚、ライトとカウンターによる視覚の刺激により意識喚起することで単調な動作の繰り返しである内臓脂肪解消促進トレーニングを継続することが可能となる内臓脂肪解消促進トレーニング装置を提供する。【解決手段】使用者の腹部に装着して使用する装置で、外側ベルト１と内側ベルト２の間に隙間を設け装着する。これは腹部膨張させた際、余裕スペース確保の必要からである。つまり腹部膨張時、腹部と外側ベルト１が密着することで膨張確認スイッチがスイッチオン状態になりブザーが鳴る。一方腹部収縮時に、内側ベルト２と外側ベルト１に貼付する調整シート１１との間に緩みが生じることで、内側ベルト２の外側に設置する収縮確認スイッチ４がオン状態となりライトが点灯する。【選択図】図１
0003194229.tif 000002
【実用新案登録請求の範囲】
【請求項１】
装置使用者がライト、カウンターやブザーという機器による視覚、聴覚の刺激により意識喚起され、単純動作の繰り返し運動を継続することが出来る内臓脂肪解消促進トレーニング装置。    
【請求項２】
常開接点・常閉接点の回路構成によるスイッチや調整シートなどで、ライト、カウンター、ブザーなどを効果的に作動させ、自らの動作を意識的に喚起させることが出来る内臓脂肪解消促進トレーニング装置。
【考案の詳細な説明】
【技術分野】
【０００１】
「ぽっこりお腹」に代表されるメタボリックシンドローム(metabolic syndrome)(以下メタボと記す)は、外見上好ましくないうえに不健康である。内臓脂肪解消促進には下腹を意識的に膨張・収縮する動作の繰り返しが有効ではあるが、無味乾燥で面白みにも欠ける故に長続きしない。本考案はこれを複数の刺激で意識喚起し、誰でも楽しく出来る内臓脂肪解消促進トレーニング装置に関するものである。
【背景技術】
【０００２】
ブザーによる聴覚、ライトとカウンターによる視覚の刺激により意識喚起することで単調な動作の繰り返しである内臓脂肪解消促進トレーニングを継続することが可能となる。
【先行技術文献】
【特許文献】
【０００３】
全体的に筋肉をトレーニングする体操訓練用具の先行技術は存在する。
【特許文献１】特許 第５８０５６４号
【非特許文献】
【０００４】
【非特許文献１】大峯三郎「理学療法におけるEBMの実態~臨床分野から~」理学療法学３０巻
【考案の概要】
【考案が解決しようとする課題】
【０００５】
外見上見苦しく、また日常的不健康や将来的疾患にも影響するメタボは、通常外見的に晒されることが少ないが故に放置されがちという問題がある。また単調で無味乾燥な動作の繰り返しであるトレーニングは倦厭されやすいという問題もある。
【課題を解決するための手段】
【０００６】
聴覚・視覚の刺激という短期的な目標で意識喚起することで、単調で無味乾燥な動作の繰り返しのトレーニングを挫折せずに続けることが可能になる。
【考案の効果】
【０００７】
ブザー、ライト、カウンターなどでそれぞれの感覚が刺激されることにより、トレーニングする者自らが意識喚起され、無味乾燥な動動も継続することが可能となる。
【考案を実施するための形態】
【０００８】
本考案を実施例でもって説明する。
【実施例】
【０００９】
以下に添付図図１、図２、図３、図４、図５、図６、添付表表１、表２に従い実施例を説明する。
【００１０】
本考案は、使用者の腹部に装着して使用する装置で、外側ベルト１と内側ベルト２の間に隙間を設け(図１中では⇔で表示)装着する。これは腹部膨張させた際、余裕スペース確保の必要からである。つまり腹部膨張時、腹部と外側ベルト１が密着することで膨張確認スイッチ３がスイッチオン状態になりブザー８が鳴る。一方腹部収縮時に、内側ベルト２と外側ベルト１に貼付する調整シート１１との間に緩みが生じることで、内側ベルト２の外側に設置する収縮確認スイッチ４がオン状態となりライト９が点灯する。このためには外側ベルト１は、内側ベルト２との隙間形成のために必須であり、また装置使用者毎の腹部形状に対応する必要もある。従って一定の柔軟性と硬さを兼ね備えた素材の必要があり、本装置では発泡ウレタンを使用した(但し同機能を備える他素材でも可である)。また外側ベルト１は一定の形状を維持するためにフレキシブルグッズ５の上下に埋設し、ベルトほぼ中央部分に調整シート１１を備える。尚フレキシブルグッズ５は形状に柔軟で、且つそれを維持しうる素材が必要であり、本装置では径３ｍｍアルミ製ワイヤを使用した(但し、同機能を備える他素材でも可である)。また内側ベルト２の両端には、腹部を固定するためバックル(オス)６、バックル(メス)７を備えた。
【００１１】
このベルト２は収縮自在な素材が要求され本装置では幅２５ｍｍの織ゴムを使用した(但し、同機能を備える他素材で可である)。尚このバックル(オス)６は内側ベルト２の長さや装置の固定具合が調整出来る、一方バックル(メス)７は内側ベルト２に固定。外側ベルト１中央に設置する腹部膨張確認スイッチ３の回路構成は常開接点である。これにより腹部膨張時に腹圧で腹部膨張スイッチ３がスイッチオンになる。一方内側ベルト２に設置されている腹部収縮確認スイッチ４の回路構成は常閉接点であり、装着時は外側ベルト１に添付の調整シート１１と接し、圧がかかり腹部収縮確認スイッチ４はオフ状態であるが、腹部収縮で調整シート１１と内側ベルト２に設置する腹部収縮確認スイッチ４との間が緩むことにより、スイッチオンになる。このように調整シート１１は腹部収縮確認スイッチ４の機能に必須であり、且つ腹部膨張時にも下腹部全体の圧を捕らえて腹部膨張確認スイッチ３作動にも寄与する。素材は適度の硬度と弾性を要し、本装置では３ｍｍ幅発泡ウレタンシートを使用した。尚本装置では腹部膨張確認スイッチ３はカウンター１０のスイッチと兼用で腹部膨張確認スイッチ３がオン状態の際には、ブザー８とカウンター１０は同時に作動するが、独立したスイッチも可能である。これらの仕組みによって、トレーニング中の自己動作を視覚・聴覚で意識喚起し継続的な内臓脂肪解消促進トレーニングに取り組むことが出来る。
【００１２】
尚、本考案装置によるトレーニングそのものの効果と意識向上効果を確認する為に下記実験及びアンケートを実施した。実験は平成２６年５〜７月期間中に１ヶ月以上装置を使用し、任意調査日にＡ〜Ｃ実験者の該当部位を測定し記録した。結果は表１。この結果では多少のバラつきやリバウンドなどは確認されるものの、２回目以降の前回比平均値がすべて０.９９台であり下腹周りの減少効果は確認出来る。
またその実験者Ａ〜Ｃを含む任意の９人に対し装置の使用による意識向上の有無を直接アンケートした。設問は装置使用により意識喚起しトレーニングに集中出来たか、である。結果は表２である。回答した全員が装置の使用で意識的に継続的なトレーニングに結びついたと回答している。  
【００１３】
図１は、本装置を装着した際の概観図である。内側ベルト２両端のバックル(バックル(オス)６、バックル(メス)７)で装置を固定し、外側ベルト１の位置を維持する。図２は、装置を上面から見た図である。外側ベルト１中央部に内側ベルト２を挿入し一体化したものであることが分かる。また装置を装着位置の状態で裏面から見た図３では、内側ベルト２が外側ベルト１に図示のごとくの位置関係であり、内側ベルト２のほぼ中央部に腹部収縮確認確認スイッチ４がある。また装着した装置正面からみた図４では、腹部膨張確認スイッチ３が外側ベルト１のほぼ中央裏面に設置していることを示している。尚内側ベルト２中央部分には腹部収縮確認確認スイッチ４を設置し、内側ベルト２の外側と外側ベルト１内側に添付する調整シート１１との間に緩みが生じた際にスイッチオン状態になるよう調整し装着する。
【００１４】
腹部膨張時の腹圧で腹部膨張時確認スイッチ３を圧迫することでスイッチオン状態になり、ブザー８が作動する。また腹部収縮の際、装置装着時点では腹圧で腹部収縮確認スイッチ４がスイッチオフであったものが、調整シート１１間との圧が減じて緩みが生じることでスイッチオンに切り替わりライト９が点灯する。あくまでも動作に準じてスイッチのオン及びオフ状態になるのであり、両方が同時に作動はしない。尚単純な動作の繰り返しトレーニングに一層意識的に集中させるためのカウンター１０を設置した。これらブザー８、ライト９及びカウンター１０の位置は図５に図示通り外側ベルト１の右肩部分(但し、同位置は適宜に設定可)。また図６は外側ベルト１を側面から見た図であるが、調整シート１１の位置とベルト上下部分に平行埋設するフレキシブルグッズ５を示す。
【００１５】
「ぽっこりお腹」に代表されるメタボは外見上芳しくないうえに、日常生活上の機能低下や将来の健康に支障をきたし兼ねない。そこで本装置使用により意識喚起することで、内臓脂肪解消に有効なトレーニングを継続実施することが可能となる。
【００１６】
また本考案装置の優位性を確認するため下記実験を行った。
実施した実験要領は次の通りである。試験者が本考案装置を約１ヶ月以上使用し、下腹部がどの程度スリムになったかを効果とし、これを記録する。これは個人的体質も多大に影響することから、複数人で実施した。
尚この実験はあくまでもメタボ解消の推移であるため、測量はいわゆるウエストではなく下腹部分周りとした。また本実験における下腹部分の定義は、臍下約５〜８ｃｍの部分の周囲測定値とする。
【００１７】
【表１】
0003194229.tif 000003
【表２】
0003194229.tif 000004
【図面の簡単な説明】
【００１８】
【図１】本体全図(装置装着時の概観図)
【図２】本装置を上から見た図
【図３】本装置を装着した際の裏面図
【図４】本装置を装着した際の正面図
【図５】外ベルト裏面(拡大)
【図６】外ベルト側面(拡大)
【符号の説明】
【００１９】
１  外側ベルト
２  内側ベルト
３  腹部膨張確認スイッチ
４  腹部収縮確認スイッチ
５  フレキシブルグッズ
６  バックル(オス)
７  バックル(メス)
８  ブザー
９  ライト
１０  カウンター
１１  調整シート
【図１】
0003194229.tif 000005
【図２】
0003194229.tif 000006
【図３】
0003194229.tif 000007
【図４】
0003194229.tif 000008
【図５】
0003194229.tif 000009
【図６】
0003194229.tif 000010
【手続補正書】
【提出日】平成26年9月2日(2014.9.2)
【手続補正１】
【補正対象書類名】実用新案登録請求の範囲
【補正対象項目名】全文
【補正方法】変更
【補正の内容】
【実用新案登録請求の範囲】
【請求項１】
外側ベルト(１)と、外側ベルト(１)と隙間を設けて装着される内側ベルト(２)、外側ベルト(１)の中央に設置された腹部膨張確認スイッチ(３)、内側ベルト(２)に設置された腹部収縮確認スイッチ(４)を備えた内臓脂肪解消促進トレーニング装置において、腹部膨張時の腹圧で腹部膨張確認スイッチ(３)を圧迫することでスイッチオン状態になりブザー(８)が作動し、腹部収縮時に、装置装着時点では腹圧で腹部収縮確認スイッチ(４)がスイッチオフであったものが、腹圧が減じてスイッチオンに切り替わりライト(９)が点灯することを特徴とする内臓脂肪解消促進トレーニング装置。
【請求項２】
腹部動作を応じて常開・常閉接点の回路構成をもつ腹部膨張確認スイッチ(３)と腹部収縮確認スイッチ(４)を作動させるための調整シート(１１)を有することを特徴とする請求項１記載の内臓脂肪解消促進トレーニング装置。